(57)【要約】【課題】衣類の乾燥の進度に応じて適切に風を吹き込み、乾燥仕上がりの向上と消費電力量の低減を実現させたドラム式乾燥機を提供する。【解決手段】乾燥運転中に内部が乾燥室となる外槽２０と、前記外槽２０内に回転自在に配置され、衣類３０を収容する回転ドラム２９と、前記回転ドラム２９を駆動するモータ３６と、前記回転ドラム２９に温風を送風するための吹出し口１１、加熱手段６２及び送風手段６１を有する乾燥装置６とを備え、乾燥時に前記回転ドラム２９を回転させながら乾燥空気１２を吹き込むドラム式乾燥機において、乾燥の時間の経過とともに衣類３０に吹付ける風向きを上に移動させる。【選択図】  図２
2014014529.tif 000002
【特許請求の範囲】
【請求項１】
乾燥運転中に内部が乾燥室となる外槽と、前記外槽内に回転自在に配置され、衣類を収容する回転ドラムと、前記回転ドラムを駆動するモータと、前記回転ドラムに温風を送風するための送風路、加熱手段及び送風手段を有する乾燥装置とを備え、乾燥時に前記回転ドラムを回転させながら空気を吹き込むドラム式乾燥機において、乾燥の時間の経過とともに衣類に吹付ける風向きが上に移動することを特徴とするドラム式乾燥機。
【請求項２】
請求項１において、前記回転ドラムの前側に温風吹出し口を有し、この温風吹出し口を扁平のスリット形状とし、このスリット形状に向かい流路面積が徐々に小さくなるようにした吹出し口流路の角度を変えることを特徴とするドラム式乾燥機。
【請求項３】
請求項１または２において、乾燥時に、前記回転ドラムに収容された衣類に直接、０.８ｍ3／min以上の風量及び５０ｍ／ｓ以上の風速を有する風を吹付けることを特徴とするドラム式乾燥機。
【請求項４】
請求項１乃至３のいずれかにおいて、前記衣類に吹付ける風向きは、前記衣類の乾燥度を検知し、前記乾燥度の値に応じて風向きが上に移動 することを特徴とするドラム式乾燥機。
【発明の詳細な説明】
【技術分野】
【０００１】
本発明は、衣類を乾燥する手段を備えたドラム式乾燥機に関する。
【背景技術】
【０００２】
乾燥工程を行える乾燥機または洗濯工程から乾燥工程までを連続して行える洗濯乾燥機による衣類の乾燥は、送風ファンと熱源（ヒータ）により高温・低湿度の空気を作り、これを回転ドラム（洗濯槽）内に吹込み、衣類の温度を高くし、衣類から水分を蒸発させ、蒸発した水分を除湿して機外へ排出することにより行う。
【０００３】
特許文献１には、複数個の吹込み口に配されている風向板の傾斜角度を連続的に変えて風向きを変え、ドラムに収容されている衣類を短時間でムラなく乾燥させ乾燥時間の短縮を図る乾燥機が記載されている。
【先行技術文献】
【特許文献】
【０００４】
【特許文献１】特開２０１１−２３９９９０号公報
【発明の概要】
【発明が解決しようとする課題】
【０００５】
上記特許文献１に記載の乾燥機では、具体的に、以下のように風向きを変えている。すなわち、乾燥初期段階では風向きを上下に連続的に変化させ、乾燥中期段階では風向きを上向きで維持し、乾燥終期段階では風向きを下向きで維持し、仕上げ段階及び冷却段階では風向きを再び上下に連続的に変化させている。しかし、このような風の当て方は、衣類の乾燥度合いに応じて適したものとなっておらず、乾燥仕上りや乾燥効率の面で十分とは言えない。
【０００６】
例えば、乾燥初期段階や乾燥中期段階では、乾いていない衣類が下方に溜まっているため、上向きの風を吹き込んでも衣類に効果的に当たらない。また、乾燥終期段階や仕上げ段階及び冷却段階では、乾燥が進み軽くなった衣類が上方に多く存在しているため、下向きの風を吹き込んでも衣類に効果的に当たらない。
【０００７】
本発明の目的は、衣類の乾燥の進度に応じて適切に風を吹き込み、乾燥仕上がりの向上と消費電力量の低減を実現させたドラム式乾燥機を提供することにある。
【課題を解決するための手段】
【０００８】
上記目的を達成するために、本発明は、乾燥運転中に内部が乾燥室となる外槽と、前記外槽内に回転自在に配置され、衣類を収容する回転ドラムと、前記回転ドラムを駆動するモータと、前記回転ドラムに温風を送風するための送風路、加熱手段及び送風手段を有する乾燥装置とを備え、乾燥時に前記回転ドラムを回転させながら空気を吹き込むドラム式乾燥機において、乾燥の時間の経過とともに衣類に吹付ける風向きを上に移動させた。  
【発明の効果】
【０００９】
本発明によれば、衣類の乾燥の進度に応じて適切に風が吹き込まれ、乾燥仕上りの向上と消費電力量の低減を実現させたドラム式乾燥機を提供できる。
【図面の簡単な説明】
【００１０】
【図１】本発明の第１の実施形態に係る洗濯乾燥機の斜視図を示す。
【図２】本発明の第１の実施形態に係る洗濯乾燥機の右側面断面図であり、乾燥工程の前半を示す。
【図３】本発明の第１の実施形態に係る温風吹き出し口を設けた外槽カバーの正面図を示す。
【図４】本発明の第１の実施形態に係る洗濯乾燥機の右側面断面図であり、乾燥工程の中盤を示す。
【図５】本発明の第１の実施形態に係る洗濯乾燥機の右側面断面図であり、乾燥工程の後半を示す。
【図６】本発明の第１の実施形態に係る洗濯乾燥機の右側面断面図であり、乾燥工程の終了処理を示す。
【図７】本発明の第２の実施形態に係る洗濯乾燥機の右側面断面図であり、乾燥工程の前半を示す。
【図８】本発明の第２の実施形態に係る洗濯乾燥機の右側面断面図であり、乾燥工程の後半を示す。
【発明を実施するための形態】
【００１１】
以下、本発明を実施するための形態（以下「実施形態」という）について、適宜図面を参照しながら詳細に説明する。
【００１２】
図１は、本発明の第１の実施形態に係る洗濯乾燥機の斜視図である。
第１の実施形態に係る洗濯乾燥機の筐体は、ベース１と、ベース１の上部に載せられた鋼板および樹脂成形品が組み合わされて構成された外枠２から構成されている。外枠２の正面には衣類３０（図２参照）を出し入れするドア３と前面カバー２２が設けられ、外枠２の背面には背面カバー２３が設けられている。  
図２と図４から図６は第１の実施形態に係る洗濯乾燥機の右側面断面図であり、図２は乾燥工程の前半を示し、図４は乾燥工程の中盤を示し、図５は乾燥工程の後半を示し、図６は乾燥工程の終了処理を示す。図３は温風吹出し口11を設けた外槽カバー20aの正面図を示す。  まず、図２を参照して、第１の実施形態に係る洗濯乾燥機の内部構造について説明する。
【００１３】
回転ドラム２９は回転可能に支持されており、その外周壁および底壁に通水および通風のための多数の貫通孔を有し、前側端面に衣類を出し入れするための開口部が設けられている。洗濯乾燥機の使用者により、ドア３が開放され回転ドラム２９に衣類３０が投入される。開口部の外側には、回転ドラム２９と一体の流体バランサ３１を備えている。外周壁の内側には、軸方向に延びるリフタ３３が複数個設けてあり、洗濯、乾燥時に回転ドラム２９を回転すると、衣類はリフタ３３と遠心力で外周壁に沿って持ち上がり、重力で落下するような動きを繰り返すタンブリング動作を行う。回転ドラム２９の回転中心軸は、水平または開口部側が高くなるように、水平に対して０〜３０°程度傾斜している。
【００１４】
円筒状の外槽２０は、回転ドラム２９を同軸上に内包し、前面は開口し、後側端面の外側中央にドラム駆動用モータ３６を備える。ドラム駆動用モータ３６の主軸３５は、外槽２０を貫通し、回転ドラム用金属製フランジ３４を介して回転ドラム２９と結合している。なお、ドラム駆動用モータ３６は、制御装置１００により回転速度が制御される。
【００１５】
外槽２０の開口部には弾性体からなるゴム系のパッキン３８が取付けられている。このパッキン３８は、外槽２０内とドア３との水密性を維持する役割をしている。これにより、洗い工程，すすぎ工程及び脱水工程時の水漏れの防止が図られている。また、外槽２０は洗濯乾燥機が乾燥工程中には乾燥室として機能する。
【００１６】
外槽２０の底面最下部には、排水孔３７が設けてあり、排水ホース９と接続している。排水ホース９は、床面に設けられた排水トラップ１０を有する排水口３９に接続される。
【００１７】
排水孔３７と排水ホース９との間には排水弁８が設けてあり、排水弁８を閉じて給水することで外槽２０に水を溜め、また、排水弁８を開いて外槽２０内の水を機外へ排出することができる。なお、排水弁８は制御装置１００により開閉が制御される。
【００１８】
外槽２０は、下側をベース１に固定されたサスペンション２１により防振支持されている。
【００１９】
第１の実施形態に係る洗濯乾燥機は、除湿ダクト５と、送風手段たるファン６１と加熱手段たるヒータ６２を含む乾燥装置６とを備え、乾燥工程時に回転ドラム２９内の衣類３０を乾燥させる。なお、ファン６１の回転速度とヒータ６２のＯＮ／ＯＦＦは、制御装置１００により制御される。
【００２０】
除湿ダクト５は、外枠２の背面内側に縦方向に設置され、ダクト下部は外槽２０の背面下方に設けた通風口３２に柔軟構造のベローズ４で略水平に接続されている。除湿ダクト５は、冷却水弁（図示せず）を開放することにより冷却水供給管５１から冷却水５２を流す水冷除湿機構（図示せず）を内蔵している。なお、冷却水弁は制御装置１００により弁の開閉が制御される。冷却水５２および結露水（水冷除湿機構により空気から除湿された水）は、除湿ダクト５の壁面を伝わって流下し通風口３２から外槽２０に入り排水孔３７から排水ホース９を通り機外へ排出される。
【００２１】
除湿ダクト５の出口はファン６１の吸気口と接続され、ファン６１の吐出口はヒータ６２と接続されている。ヒータ６２の出口は、柔軟構造のベローズ７を介して、回転ドラム２９の内部に向けて衣類３０を乾燥させるための乾燥空気１２を吹き出す吹出し口１１と接続されている。
【００２２】
吹出し口１１は、可動ノズル１１ａを内蔵し、この可動ノズル１１ａは制御モータ１７（図３参照）を駆動し、歯車１７aを介して枢軸１７bを支点に角度を変えられる。可動ノズル１１ａの角度を変えることにより乾燥空気１２の吹出し方向を任意に変えられる。なお、制御モータ１７は、制御装置１００により制御される。また、吹出し口１１は、外槽カバー２ｄの前側から開口部２ｃに沿って設けてあり、内部に流路１１ｂ，１１ｃが形成されている。吹出し口１１の入口にはベローズ継手７が取り付けてあり、流路１１ｃの出口にはスリット状の出口部１１ｄが形成されている。吹出し口１１の可動ノズル１１ａを開口部２ｃの内周面より内側に飛び出すように形成し、出口部１１ｄが回転ドラム２９内に向かって開口するようにしてある。このようにすることで、出口部１１ｄから出た温風は直接回転ドラム２９内の衣類に当てることが出来る。
【００２３】
なお、可動ノズル１１ａの飛び出し量が多すぎると、洗濯や乾燥時に衣類の動きを阻害するため、図３に示すように出口部１１ｄを扁平のスリット形状として飛び出し量を小さくし、かつ開口部２ｃと可動ノズル１１ａの表面形状がスムーズに変化するようにしてある。また、流路１１ｂと流路１１ｃは無駄な突起や、急激な流れ方向の変化が無いようにし、かつ出口部１１ｄに向かい流路面積が徐々に小さくなるようにしてある。こうすることで、高速の風が流路１１ｂ，１１ｃを流れるときに発生する圧力損失や流体音を小さくすることが出来る。また、出口部１１ｄで風速が拡がらずに高速風を保ちながら直接衣類３０に吹付けることが可能となり衣類３０からの水分の蒸発量が促進して乾燥性能が向上する。ここで、可動ノズル１１ａを含む吹出し口１１は、回転ドラム２９の前側に１つだけ設けたので、風量が分散されず風速が低下しないため、衣類の乾燥仕上りを高く維持できる。
【００２４】
除湿ダクト５の出口と、ファン６１の吸気口との間には、吸気弁１３が設けられている。図２，図４に示すように、吸気弁１３を閉じることにより除湿ダクト５からの循環空気１４がファン６１に吸気される。また、図５に示すように、吸気弁１３を開けることにより、除湿ダクト５からファン６１への流路を閉塞し、筐体内部空気１５がファン６１に吸気される。なお、吸気弁１３は、制御装置１００により開閉が制御される。
【００２５】
排水孔３７、ファン６１の吸気口、および、ファン６１の吐出口には温度センサ(図示せず)が設けられており、各温度センサで検出した値は制御装置１００に送信される。
【００２６】
このように構成した第１の実施形態に係る洗濯乾燥機は、洗濯工程においては、回転ドラム２９内に衣類３０を投入し、排水弁８を閉じた状態で給水して外槽２０に洗濯水を溜め、回転ドラム２９を回転させて衣類３０を洗濯する。
【００２７】
また、脱水工程においては、排水弁８を開いて外槽２０内の洗濯水を排水し、回転ドラム２９を回転させて衣類３０を遠心脱水する。
【００２８】
以下、第１の実施形態に係る洗濯乾燥機の乾燥工程の各段階について、図２から図6を用いて説明する。
【００２９】
＜乾燥工程：前半＞乾燥工程の前半では、図２に示すように、第１の実施形態に係る洗濯乾燥機の制御装置１００は、排水弁８を開いた状態とし、回転ドラム２９を回転させると共に、ファン６１を駆動させ、ヒータ６２を通電させる。
【００３０】
なお、制御装置１００は、回転ドラム２９内の衣類３０がタンブリング動作をするように、ドラム駆動用モータ３６を制御する。
【００３１】
これにより、外槽２０内の空気を通風口３２から吸引して除湿ダクト５内を通過した後にヒータ６２で加熱して吹出し口１１から回転ドラム２９内の衣類３０に向けて吹込む乾燥空気１２を生成する。
【００３２】
乾燥工程開始直後、衣類３０は水分量が多いため回転ドラム２９内の下側に溜まる。可動ノズル１１ａの角度を下側に向け、乾燥空気１２が直接衣類３０に吹付けられるようにしている。これにより、衣類３０の温度が早く上がり乾燥時間が短縮される。
また、乾燥工程開始直後は回転ドラム２９内の衣類３０の温度は高くなっていない。そのため、衣類３０からの蒸発量はあまり多くなく、加えて水冷除湿機構は、温度差による飽和水蒸気量の変化を用いて、高温多湿の空気を冷却することにより結露した水分を除湿するものであるため、乾燥工程の前半では、冷却水弁を開放せず、除湿ダクト５内部には冷却水供給管５１から冷却水を流さない。
【００３３】
これにより、除湿性能の低い乾燥工程前半時における冷却水を節約し、加えて、ファン６１に吸い込まれる循環空気１４の温度が冷却水により低下しないので、循環空気１４はヒータ６２で再加熱され、吹出し口１１から吹き出す乾燥空気１２および衣類３０の温度を上昇させるのに必要な時間を短縮する。
【００３４】
＜乾燥工程：中盤＞そして、乾燥工程の中盤では、図４に示すように、制御装置１００は、乾燥工程の前半と同様に、回転ドラム２９を回転させると共に、ファン６１を運転してヒータ６２を通電させる。加えて、制御装置１００は、冷却水弁（図示せず）を開放し、冷却水供給管５１から冷却水５２を流す。
【００３５】
これにより、外槽２０内の空気を通風口３２から吸出して除湿ダクト５内を通過させて水冷除湿した後にヒータ６２で加熱して吹出し口１１から回転ドラム２９内の衣類３０に向けて吹込む高温低湿の乾燥空気１２を生成する。
【００３６】
ここで、乾燥工程の前半および乾燥工程の中盤において衣類３０の水分量は徐々に減少し、衣類容量６kgの場合、衣類３０は回転ドラム２９内の中央付近まで徐々に拡がってくる。これに伴い可動ノズル１１ａの角度を上側に移動してリフタ３３と遠心力で外周壁に沿って持ち上がり重力で落下するときに拡がる衣類３０に高速風の乾燥空気１２を吹付ける。これにより、可動ノズル１１ａから吹き出される乾燥空気１２と衣類３０に当たる面積が拡がるため、衣類３０からの水分の蒸発量が促進して乾燥性能が向上する。
【００３７】
＜乾燥工程：後半＞乾燥工程の後半では、図５に示すように、制御装置１００は、ヒータ６２をＯＦＦにして冷却水弁を閉塞し冷却水５２を止める。そして、吸気弁１３を開く。
【００３８】
これにより、ベース１下部の隙間から吸込まれた外部空気１６は、外槽２０の側面を流れながら外槽２０，ドラム駆動用モータ３６，ファン６１の排熱を受けて温められ、乾燥工程の中盤までに外槽２０の上面と外枠２の空間に溜められた高温の筐体内部空気１５とともにファン６１へ吸込まれる。
【００３９】
吸込まれた筐体内部空気１５は、吹出し口１１から回転ドラム２９内の衣類３０に向けて吹込む高温低湿の乾燥空気１２として衣類３０に吹付けられ、衣類３０から水分を奪い、湿潤して排水孔３７から排水ホース９を通り、排水トラップ１０の水封じを破って排水口３９に排出される。これにより、衣類３０からの水分は排気除湿される。
【００４０】
乾燥工程の後半では、衣類３０は十分温められて水分が蒸発しているため、ヒータ加熱を止めて排気除湿を行うことにより、消費電力量の低減を図っている。
【００４１】
なお、一般的な排水トラップの場合、水封じの高さは５０〜８０ｍｍ程度あるため、水封じを破るには排水ホース９側の圧力は約１０００Ｐａ以上が必要となる。また、排水口３９からの臭気を抑えるため、水封じを破った後も高い圧力（所定以上の圧力）を確保する必要があり、排水ホース９側による排気式乾燥中（第１の実施形態における排気工程の後半）は、高い圧力を保つようにファン６１を制御する。
【００４２】
ここで、乾燥工程の後半において衣類３０の水分量はさらに減少し、衣類容量６kgの場合、衣類３０は回転ドラム２９内の上部付近まで徐々に拡がってくる。これに伴い可動ノズル１１ａの角度をさらに上側に移動してリフタ３３と遠心力で外周壁に沿って持ち上がり重力で落下するときに拡がる衣類３０に高速風の乾燥空気１２を吹付ける。これにより、可動ノズル１１ａから吹き出される乾燥空気１２と衣類３０に当たる面積が拡がるため、衣類３０からの水分の蒸発量が促進して乾燥性能が向上する。
【００４３】
＜乾燥工程：終了処理：水トラップ再生処理＞図６は、第１の実施形態に係る洗濯乾燥機の右側面断面図であり、乾燥工程の終了処理を示す。
【００４４】
乾燥終了後は、図６に示すように、排水口３９側の圧力より排水ホース９側の圧力を高く保ちながら水封じを破らない圧力レベルまでファン６１の回転速度を下げて、冷却水弁（図示せず）を開放し、冷却水供給管５１から冷却水５２を流し、排水トラップ１０の水封じを回復させて乾燥工程終了となる。
【００４５】
このように、乾燥終了後に、排水ホース９側の圧力を所定以上に保ちながら排水ホース９を経由して排水口３９に水を供給することにより、排水口３９からの臭気を抑えながら排水トラップ１０の水封じを回復させることができる。
【００４６】
＜まとめ＞このように構成した洗濯乾燥機は、乾燥の進行とともに常時衣類３０が拡がる付近に高速風の乾燥空気１２を吹付けることにより、乾燥空気１２と衣類３０との接触する面積が増加して水分の蒸発量が促進され乾燥性能が向上する。これにより、消費電力量の低減と乾燥時間の短縮ができる。加えて、常時衣類３０が拡がる付近に高速風を吹付けることにより、衣類３０のしわが伸ばされ仕上がりが向上する。なお、可動ノズル１１ａの角度の制御は、衣類３０の初期重量と乾燥時間の経過および各温度センサ（排水孔３７、ファン６１の吸気口、および、ファン６１の吐出口）の値より衣類３０の乾燥状況を判断し、乾燥状況に応じて可動ノズル１１ａの角度を下側から上側に徐々に移動していく。
【００４７】
さらに、乾燥工程の中盤までに衣類３０，回転ドラム２９，外槽２０や外槽２０の上面と外枠２の空間に溜められた筐体内部空気１５などが蓄えた熱と乾いた外部空気１６を用いた余熱乾燥により、乾燥工程の後半のヒータ６２の消費電力量を削減することができる。
【００４８】
ここで、乾燥性能を向上させるためにリフタ３３と遠心力で外周壁に沿って持ち上がり重力で落下するときに拡がる衣類３０に高速風の乾燥空気１２を吹付けて水分の蒸発量を促進させるには０.８ｍ3／min以上の風量及び5０ｍ／ｓ以上の風速が必要である。本実施形態例では、可動ノズル１１aの出口部１１dの面積２５０mm2（幅５０×高さ５mmのスリット上）で、ファン６１の羽根車径１４０mm、羽根厚さ７mmで回転数を毎分１３５００回転で運転している。これによりファン吐出圧力が約６５００Ｐａとなり、流量約１.４ｍ3／minで風速約９３ｍ／ｓを得ている。なお、本実施形態では、可動ノズル１１ａを採用しているので、単に吹出し口１１の出口に風向板を設けるのと異なり、風損が少なく、また風速分布が拡がり難いので、高速の風を吹出すのに好適である。
【００４９】
また、衣類６ｋｇ、ヒータ入力約６００Ｗ、風量約１.５ｍ3／ｍｉｎ、冷却水量０.３〜０.５Ｌ／ｍｉｎの条件において、乾燥工程の後半でヒータ６２をＯＦＦにして、吸気弁１３を開放し、吸気弁１３から取り入れた外部空気１６を衣類３０に吹付ける排気乾燥は、排気乾燥を行わない場合と比較して、乾燥工程の消費電力量全体の約１０〜２０％を削減することができる。
【００５０】
さらに、ファン６１へ吸込まれる筐体内部空気１５が、外槽２０、ドラム駆動用モータ３６、ファン６１などの排熱により温められた場合（余熱乾燥）、直接外部空気１６を吸込んだ場合と比較して、乾燥工程の消費電力量全体の約５％を削減することができる。
【００５１】
また、外部空気１６を吸込んでも排水ホース９から衣類３０の水分を排水口３９に排出するため、第１の実施形態に係る洗濯乾燥機が設置された室内の環境を悪化させずに消費電力を削減することができる。さらに、乾燥終了時に排水ホース９側の内圧を保ちながら排水トラップ１０の水封じを回復させるため、排水口３９からの臭気が室内に漏れて環境を悪化させることはない。
【００５２】
＜変形例＞なお、第１の実施形態に係る洗濯乾燥機は、上記実施形態の構成に限定されるものではなく、発明の趣旨を逸脱しない範囲内で種々の変更が可能である。
【００５３】
例えば、上記実施形態の構成においては、吸気弁１３を開放し、吸気弁１３から取り入れた外部空気１６を衣類３０に吹付ける排気乾燥を行なっているが第２の実施形態として図７に示すように、吸気弁１３を設けず、乾燥工程の前半では、第１の実施形態と同様、冷却水弁を開放せず、除湿ダクト５内部には冷却水供給管５１から冷却水を流さない。そして、乾燥工程の中盤から後半では図８に示すように、冷却水弁（図示せず）を開放し、冷却水供給管５１から冷却水５２を流して衣類３０から蒸発した水分を除湿して機外へ排出することにより衣類３０の乾燥を行う。
【００５４】
このように構成した洗濯乾燥機は、第１の実施形態の排気乾燥による消費電力量の削減効果は得られないが吸気弁１３を廃止して構造を簡略化できる。また、上記第１の実施形態の構成においては、乾燥工程の中盤に冷却水弁を開いて水冷除湿を行なっているが、乾燥工程に冷却水を使用しなくてもよい。この場合、乾燥空気１２の温度が上昇して衣類３０の温度が上がるため余熱乾燥時に用いられる熱容量が増加して、乾燥工程の消費電力量をさらに削減することができる。なお、冷却水による水冷除湿を使用しない場合、空冷によって除湿ダクト５や外槽２０などの内壁面が除湿部となる。
【００５５】
また、本実施形態において、吹出し口１１から回転ドラム２９内へ吹き込まれる風の向きは、乾燥が進むにつれて下向きから上向きへ徐々に変化させるものであるが、具体的な風向きの制御はこれに限らない。例えば、下向きから上向きへと往復を繰り返すような風の吹き込み方であっても、乾燥度が高い場合の方が、時間平均で、上向きの割合が多くなるように制御することも考えられる。
【００５６】
更に、本実施形態の洗濯乾燥機は、乾燥工程の中盤において可動ノズル１１ａの角度を変えてドア３やパッキン３８に乾燥空気１２を吹付けて衣類３０より先に表面を乾燥させることにより、衣類３０から発生するリント（綿埃）の付着を低減することができる。
【００５７】
また、本実施形態の洗濯乾燥機は、形くずれの気になる物を乾燥させる場合、回転ドラム２９を静止させて回転ドラム２９の下側に衣類３０を置き、可動ノズル１１ａの角度を下側に向けて直接乾燥させることにより、水分の蒸発量が促進され乾燥性能が向上する。これにより、消費電力量の低減と乾燥時間の短縮ができる。
【００５８】
なお、本実施形態では、加熱手段としてヒータ６２を用いたが、これに限らず、ヒートポンプを用いても構わない。また、洗濯乾燥機に代えて、乾燥工程のみを行なう乾燥機に適用しても同様の効果を得ることができる。
【符号の説明】
【００５９】
１  ベース（筐体）
２  外枠（筐体）
２c  開口部
３  ドア
４，７  ベローズ
５  除湿ダクト
６  乾燥装置
８  排水弁
９  排水ホース
１０  排水トラップ
１１  吹出し口
１１a  可動ノズル
１２  乾燥空気
１３  吸気弁
１４，１５  筐体内部空気
１６  外部空気
２０  外槽
２０a  外槽カバー
２１  サスペンション
２２  前面カバー
２３  背面カバー
２９  回転ドラム
３０  衣類
３１  流体バランサ
３２  通風口
３３  リフタ
３４  回転ドラム用金属製フランジ
３５  主軸
３６  ドラム駆動用モータ
３７  排水孔
３８  パッキン
３９  排水口
５１  冷却水供給管
５２  冷却水
６１  ファン（送風手段）
６２  ヒータ（加熱手段）
１００  制御装置
【図１】
2014014529.tif 000003
【図２】
2014014529.tif 000004
【図３】
2014014529.tif 000005
【図４】
2014014529.tif 000006
【図５】
2014014529.tif 000007
【図６】
2014014529.tif 000008
【図７】
2014014529.tif 000009
【図８】
2014014529.tif 000010